(57)【要約】【課題】乗員がスイッチ操作をしないのに、スイッチ操作に対応した制御が実行されてしまうことを抑制できる車両用制御装置を提供する。【解決手段】モーメンタリ型の読書灯スイッチ２０と、読書灯スイッチ２０からの信号がＯＮ信号であることに基づいて、所定の制御を実行するスイッチ制御実行部４１と、読書灯スイッチ２０からの信号がＯＮ信号である状態が固着閾値時間より長く継続したことに基づいて、読書灯スイッチ２０が固着していると判断する固着判断部４２と、読書灯スイッチ２０が固着していることを、イグニッションスイッチがＯＦＦになった後も記憶する記憶部３０とを備える。スイッチ制御実行部４１は、イグニッションスイッチがＯＮになった後、固着判断部４２が読書灯スイッチ２０が固着していると判断していなくても、記憶部３０に、読書灯スイッチ２０が固着していることが記憶されていれば、ＯＮ信号に基づく制御を抑制する。【選択図】図１
2018144709.tif 000002
【特許請求の範囲】
【請求項１】
車両の乗員に操作されるモーメンタリ型のスイッチ（２０）と、
前記スイッチからの信号がＯＮ信号であることに基づいて、前記スイッチの操作により定まる制御を実行するスイッチ制御実行部（４１）と、
前記スイッチからの信号が前記ＯＮ信号である状態が固着閾値時間より長く継続したことに基づいて、前記スイッチが固着していると判断する固着判断部（４２）と、
前記固着判断部が、前記スイッチが固着していると判断した場合に、前記スイッチが固着していることを、イグニッションスイッチがＯＦＦになった後も記憶する記憶部（３０）とを備え、
前記スイッチ制御実行部は、前記固着判断部が、前記スイッチが固着していると判断した場合に前記ＯＮ信号に基づく制御を抑制し、かつ、前記イグニッションスイッチがＯＮになった後、前記固着判断部が前記スイッチが固着していると判断していなくても、前記記憶部に、前記スイッチが固着していることが記憶されていれば、前記ＯＮ信号に基づく制御を抑制する車両用制御装置。
【請求項２】
請求項１において、
前記スイッチ制御実行部は、
前記ＯＮ信号の継続時間が、前記固着閾値時間よりも短い時間に設定されている長押し閾値時間以上であることに基づいて長押し操作がされたと判断して、前記長押し操作に基づく制御を実行し、
前記ＯＮ信号が前記長押し閾値時間継続する前に、前記スイッチからの信号が前記ＯＮ信号からＯＦＦ信号に切り替わる信号切り替わり生じたことに基づいて、短押し操作がされたと判断して、前記短押し操作に基づく制御を実行する車両用制御装置。
【請求項３】
請求項１または２において、
前記固着判断部は、前記スイッチからの信号がＯＦＦ信号になったことに基づいて、前記記憶部から、前記スイッチが固着していることを消去する車両用制御装置。
【請求項４】
請求項１〜３のいずれか１項において、
前記スイッチ制御実行部は、前記スイッチの操作により定まる制御として、読書灯（１０）を制御する車両用制御装置。
【発明の詳細な説明】
【技術分野】
【０００１】
本発明は、車両用制御装置に関し、特に、スイッチのＯＮ固着判断時の制御に関する。
【背景技術】
【０００２】
スイッチがＯＮ固着、すなわちＯＮ状態で固着したことを検出する機能を備えた装置が知られている。たとえば、特許文献１には、ＯＮ固着を検出する車両用制御装置が開示されている。
【０００３】
特許文献１に開示されている装置は、電動パーキングブレーキの作動スイッチがＯＮのときに供給されるウェイクアップ信号の信号レベルが、所定時間、ハイレベルを継続した場合に、作動スイッチがＯＮ固着したと判断する。ＯＮ固着したと判断した場合には、その判断に続いて、ワーニングランプを点灯させている。
【先行技術文献】
【特許文献】
【０００４】
【特許文献１】特開２０１６−１７２５０２号公報
【発明の概要】
【発明が解決しようとする課題】
【０００５】
特許文献１に開示の技術は、作動スイッチがＯＮのときに供給される信号がウェイクアップ信号であり、ウェイクアップ信号は、信号が入力された装置がウェイクアップすれば不要である。したがって、ウェイクアップ信号は、正常であれば、ハイレベルが維持されるのは短時間である。これを利用して、ウェイクアップ信号がハイレベルである時間が所定時間継続した場合に、作動スイッチがＯＮ固着であると判断できる。
【０００６】
スイッチがモーメンタリスイッチである場合にも、信号レベルがＯＮ信号である時間は長くない。したがって、特許文献１の技術を適用して、ＯＮ信号である時間が所定時間継続した場合にＯＮ固着であると判断することができる。
【０００７】
また、特許文献１の技術では、イグニッションスイッチがＯＦＦになり、その後、再び、イグニッションスイッチがＯＮになったときにも、ウェイクアップ信号の信号レベルが所定時間継続すれば、ＯＮ固着であると判断できる。
【０００８】
しかしながら、単純に特許文献１の技術を、スイッチがモーメンタリスイッチである場合に適用すると、次の問題が生じる恐れがある。すなわち、イグニッションスイッチがＯＮになった時点でＯＮ固着していると、イグニッションスイッチがＯＮになった時点からＯＮ固着であると判断するまでの間は、乗員がスイッチ操作をしないのに、スイッチ操作に対応した制御が行われてしまう恐れがある。
【０００９】
特に、モーメンタリスイッチにより、短押し操作に加えて長押し操作が可能である場合には、乗員が長押し操作をしないのに、長押し操作に対応した制御が行われてしまう恐れが高い。その理由は以下の通りである。
【００１０】
短押し操作が行われたか否かは、信号の立ち上がり、あるいは、信号の立ち下がりが生じたか否かで判断する。イグニッションスイッチがＯＮになった時点でモーメンタリスイッチがＯＮ固着していると、信号の立ち上がりや立ち下がりは生じない。したがって、乗員がスイッチ操作をしないのに、短押し操作に対応した制御が行われてしまう心配は少ない。
【００１１】
しかし、長押し操作がされたか否かは、ＯＮ信号の継続時間で判断する。長押し操作がされたことを判断するＯＮ信号の継続時間は、当然、ＯＮ固着であることを判断する時間よりも短い。
【００１２】
したがって、長押し操作が可能である場合、イグニッションスイッチがＯＮになった時点でスイッチが固着していると、乗員がスイッチ操作をしないのに、長押し操作に対応した制御が行われてしまう恐れが高いのである。
【００１３】
本発明は、この事情に基づいて成されたものであり、その目的とするところは、乗員がスイッチ操作をしないのに、スイッチ操作に対応した制御が実行されてしまうことを抑制できる車両用制御装置を提供することにある。
【課題を解決するための手段】
【００１４】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【００１５】
上記目的を達成するための本発明は、
車両の乗員に操作されるモーメンタリ型のスイッチ（２０）と、
スイッチからの信号がＯＮ信号であることに基づいて、スイッチの操作により定まる制御を実行するスイッチ制御実行部（４１）と、
スイッチからの信号がＯＮ信号である状態が固着閾値時間より長く継続したことに基づいて、スイッチが固着していると判断する固着判断部（４２）と、
固着判断部が、スイッチが固着していると判断した場合に、スイッチが固着していることを、イグニッションスイッチがＯＦＦになった後も記憶する記憶部（３０）とを備え、
スイッチ制御実行部は、固着判断部が、スイッチが固着していると判断した場合にＯＮ信号に基づく制御を抑制し、かつ、イグニッションスイッチがＯＮになった後、固着判断部がスイッチが固着していると判断していなくても、記憶部に、スイッチが固着していることが記憶されていれば、ＯＮ信号に基づく制御を抑制する車両用制御装置である。
【００１６】
本発明では、固着判断部が、スイッチが固着していると判断した場合に、スイッチが固着していることをイグニッションスイッチがＯＦＦになった後も記憶する記憶部を備える。そして、イグニッションスイッチがＯＮになった後には、スイッチが固着していると判断されていなくても、記憶部にスイッチが固着していることが記憶されていれば、ＯＮ信号に基づく制御を抑制する。よって、イグニッションスイッチがＯＮになった後に、スイッチからの信号がＯＮ信号であることにより、乗員がスイッチ操作をしないのに、スイッチ操作に対応した制御が実行されてしまうことが抑制される。
【図面の簡単な説明】
【００１７】
【図１】実施形態の車両用制御装置Ａの構成を示すブロック図である。
【図２】図１のＥＣＵ４０の処理を示すフローチャートである。
【図３】読書灯スイッチ２０の信号レベルと読書灯１０の点灯状態との関係を示す図である。
【発明を実施するための形態】
【００１８】
＜実施形態＞
以下、本開示の複数の実施形態を図面に基づいて説明する。なお、各実施形態および変形例において対応する構成要素には同一の符号を付すことにより、重複する説明を省略する場合がある。各実施形態および変形例において構成の一部分のみを説明している場合、当該構成の他の部分については、先行して説明した他の実施形態および変形例の構成を適用することができる。また、各実施形態および変形例の説明において明示している構成の組み合わせばかりではなく、特に組み合わせに支障が生じなければ、明示していなくても複数の実施形態および変形例の構成同士を部分的に組み合わせることができる。そして、複数の実施形態および変形例に記述された構成同士の明示されていない組み合わせも、以下の説明によって開示されているものとする。
【００１９】
［全体構成］
実施形態となる車両用制御装置Ａは、図１に示すように、読書灯１０と、読書灯スイッチ２０と、記憶部３０と、ＥＣＵ４０とを備えている。
【００２０】
読書灯１０は、ＥＣＵ４０により作動が制御される作動部の一例である。読書灯１０は、車両の車室内の後席の上方に設置されて、後席付近を照らす照明である。
【００２１】
読書灯スイッチ２０は、後席の肘掛けなど、後席乗員が操作しやすい位置に配置される。この読書灯スイッチ２０は、読書灯１０を点消灯状態を変更するために乗員が操作するスイッチであり、モーメンタリ型のスイッチである。読書灯スイッチ２０の周囲には、他にもモーメンタリ型のスイッチが配置されていてもよい。たとえば、シート空調装置のＯＮ、ＯＦＦなどを指示するためのスイッチであるシートヒータスイッチが配置されていてもよい。シート空調装置も、ＥＣＵ４０により作動が制御される作動部である。
【００２２】
記憶部３０は、イグニッションスイッチがＯＦＦになっても、記憶内容が消えない記憶部である。たとえば、フラッシュＲＯＭなどを用いることができる。
【００２３】
ＥＣＵ４０は、ＣＰＵ、ＲＯＭ、ＲＡＭ等を備えたコンピュータであり、ＣＰＵが、ＲＡＭの一時記憶機能を利用しつつ、ＲＯＭなどの記録媒体に記憶されているプログラムを実行することで、スイッチ制御実行部４１、固着判断部４２として機能する。なお、上述のプログラムは、非遷移的な実体的記録媒体に格納されていればよく、その具体的な記憶媒体はＲＯＭに限らない。例えばプログラムはフラッシュメモリに保存されていてもよい。ＣＰＵがプログラムを実行することは、プログラムに対応する方法が実行されることに相当する。
【００２４】
また、ＥＣＵ４０が備える機能ブロックの一部または全部は、一つあるいは複数のＩＣ等を用いて（換言すればハードウェアとして）実現してもよい。また、ＥＣＵ４０が備える機能ブロックの一部又は全部は、ＣＰＵによるソフトウェアの実行とハードウェア部材の組み合わせによって実現されてもよい。
【００２５】
ＥＣＵ４０には、入力ポートに読書灯スイッチ２０の信号レベルが入力される。本実施形態では、読書灯スイッチ２０が押されていないときは、入力ポートにＬｏレベルの信号が入力され、読書灯スイッチ２０が押されているときは、入力ポートにＨｉレベルの信号が入力される。よって、ＯＦＦ信号はＬｏレベルの信号であり、ＯＮ信号はＨｉレベルの信号である。
【００２６】
スイッチ制御実行部４１は、その信号レベルにより、読書灯スイッチ２０からの信号がＯＮ信号であるか、ＯＦＦ信号であるかを判断する。そして、読書灯スイッチ２０からの信号がＯＮ信号である場合、読書灯スイッチ２０が押されたと判断し、読書灯スイッチ２０の操作により定まる制御を実行する。
【００２７】
読書灯スイッチ２０の操作には、短押し操作と、長押し操作がある。長押し操作は、読書灯スイッチ２０を長押し閾値時間以上押し続ける操作であり、長押し閾値時間は、たとえば８００ｍｓである。短押し操作は、読書灯スイッチ２０を押し続ける時間が長押し閾値時間よりも短い時間となる操作である。
【００２８】
スイッチ制御実行部４１は、ＯＮ信号の継続時間が長押し閾値時間以上になった場合には長押し操作がされたと判断する。一方、ＯＮ信号の継続時間が、長押し閾値時間よりも短い時間であった場合には、短押し操作がされたと判断する。ＯＮ信号の継続時間が長押し閾値時間よりも短い時間であることを判断するために、スイッチ制御実行部４１は、信号の立ち下がりが検出された時点、すなわちＯＮ信号からＯＦＦ信号に切り替わる信号切り替わり生じた時点で、短押し操作がされたと判断する。
【００２９】
スイッチ制御実行部４１は、これら短押し操作、あるいは、長押し操作がされたと判断した場合には、それらの操作に基づいて定まる制御を実行する。たとえば、短押し操作がされたと判断した場合には、ＯＦＦ−Ｌｏ−Ｍｉｄ１−Ｍｉｄ２−Ｈｉのうち、短押し操作がされた時点の状態に対して、一つ右の状態に遷移する制御を実行する。Ｈｉであれば、一番左の状態、すなわちＯＦＦに遷移する。
【００３０】
Ｌｏ、Ｍｉｄ１、Ｍｉｄ２、Ｈｉは、いずれも読書灯１０が点灯した状態であるが、明るさが相違しており、Ｌｏ、Ｍｉｄ１、Ｍｉｄ２、Ｈｉの順に明るさが増す。これは一例であり、明るさの段階が４段階である必要はなく、これよりも多くても、また少なくてもよい。
【００３１】
長押し操作がされたと判断した場合には、たとえば、長押し操作がされたときにＬｏ、Ｍｉｄ１、Ｍｉｄ２の状態であっても、ＯＦＦに遷移する制御を実行する。Ｌｏ、Ｍｉｄ１、Ｍｉｄ２の状態で、短押し操作により読書灯１０をＯＦＦにするには複数回の操作が必要である。しかし、長押し操作であれば、Ｌｏ、Ｍｉｄ１、Ｍｉｄ２の状態からでも１回の操作で読書灯１０を消灯させることができる。
【００３２】
また、ＯＦＦ状態で長押し操作された場合には、Ｈｉとする制御を実行する。ＯＦＦ状態から短押し操作でＨｉにするためには、４回の操作が必要であるが、長押し操作であれば、ＯＦＦ状態から１回の操作で読書灯１０をＨｉ状態にすることができる。
【００３３】
ただし、固着判断部４２が、読書灯スイッチ２０が固着していると判断した場合には、長押し操作により定まる制御は実行しない。加えて、イグニッションＯＮになった後には、固着判断部４２が、読書灯スイッチ２０が固着していると判断していなくても、記憶部３０に、読書灯スイッチ２０がＯＮ固着していることが記憶されていれば、長押し操作により定まる制御は実行しない。長押し操作により定まる制御を実行しないことが、請求項におけるＯＮ信号に基づく制御を抑制することに相当する。
【００３４】
固着判断部４２は、ＯＮ信号である状態が固着閾値時間より長く継続した場合に、読書灯スイッチ２０がＯＮ状態である固着が生じた、すなわちＯＮ固着したと判断する。固着閾値時間は、前述した長押し閾値時間よりも十分に長い時間である。換言すれば、長押し閾値時間は、固着閾値時間よりも十分に短い時間である。長押し閾値時間が８００ｍｓであるとした場合、固着閾値時間は、たとえば１分とする。
【００３５】
固着判断部４２は、ＯＮ固着したと判断した場合には、記憶部３０にＯＮ固着していることを記憶する。また、固着判断部４２は、ＯＦＦ信号が入力された場合であって、記憶部３０にＯＮ固着されていることが記憶されていれば、そのことを記憶部３０から消去する。
【００３６】
［固着判断部４２の詳細処理］
固着判断部４２の詳しい処理を、図２を用いて説明する。図２に示すフローチャートは、ＥＣＵ４０が実行する処理のうち、固着判断部４２の処理、および、スイッチ制御実行部４１の処理のうち固着判断部４２に関連する処理を示している。図２において、ステップＳ５、Ｓ６、Ｓ９はスイッチ制御実行部４１が実行し、残りのステップは固着判断部４２が実行する。
【００３７】
ＥＣＵ４０は図２に示す処理を周期的に実行する。ステップ（以下、ステップを省略する）Ｓ１では、入力ポートに入力されている信号がＯＮ信号であるかＯＦＦ信号であるかを判断する。ＯＮ信号であればＳ２に進む。
【００３８】
Ｓ２では、タイマーのカウントを所定値アップする。続くＳ３では、タイマーのカウントが固着閾値時間を超えたか否かを判断する。この判断がＹＥＳであればＳ４に進む。Ｓ４では、読書灯スイッチ２０がＯＮ固着していると判断し、そのことを記憶部３０に記憶する。
【００３９】
Ｓ５では、スイッチ制御実行部４１は、長押し無効制御を実行する。長押し無効制御は、長押し操作により定まる制御は実行しないことを意味する。
【００４０】
また、Ｓ３の判断がＮＯであればＳ６に進む。Ｓ６では、ＯＮ固着していることが記憶部３０に記憶されているか否かを判断する。この判断がＹＥＳである場合にもＳ５に進む。したがって、Ｓ６の判断がＹＥＳになった場合にも、スイッチ制御実行部４１は、長押し無効制御を実行することになる。
【００４１】
よって、タイマーのカウントが固着閾値時間を超えていなくても、記憶部３０にＯＮ固着していることが記憶されていれば、スイッチ制御実行部４１は、長押し無効制御を実行する。これにより、イグニッションスイッチがＯＮになった時点で読書灯スイッチ２０がＯＮ固着しているために、イグニッションスイッチがＯＮになってからＯＮ信号の継続時間が８００ｍｓ経過したとしても、読書灯１０は点灯しない。
【００４２】
Ｓ１の判断において入力ポートに入力されている信号がＯＦＦ信号であると判断した場合にはＳ７に進む。Ｓ７では、タイマーカウントをリセットする。続くＳ８では、記憶部３０から、読書灯スイッチ２０がＯＮ固着していることを消去する。つまり、ＯＮ固着したとの判定を解除する。このＳ８は、記憶部３０に読書灯スイッチ２０がＯＮ固着していることが記憶されていなければ、スキップしてよい。
【００４３】
Ｓ９では、スイッチ制御実行部４１は、通常制御を実行する。通常制御は、長押し操作により定まる制御も実行することを意味する。
【００４４】
Ｓ６の判断がＮＯである場合にもＳ９に進む。これにより、乗員により長押し操作がされた場合には、長押し操作により定まる制御が実行される。
【００４５】
［制御例］
次に、イグニッションスイッチの状態、読書灯スイッチ２０および読書灯１０のＯＮ、ＯＦＦの変化の一例を、図３にタイムチャートで示す。また、読書灯１０のＯＮ、ＯＦＦは、本実施形態が適用された場合のＯＮ、ＯＦＦだけでなく、比較例として、スイッチ制御実行部４１が長押し無効制御を実行しない場合のＯＮ、ＯＦＦも示している。
【００４６】
ｔ１時点で読書灯スイッチ２０がＯＮになっている。ｔ２時点はｔ１時点から長押し閾値時間が経過した時点である。よって、ｔ２時点においてスイッチ制御実行部４１は読書灯１０をＨｉ状態に遷移させる制御を開始する。これにより、ｔ３時点で読書灯１０はＨｉ状態になっている。この図３に示す例は、読書灯スイッチ２０がＯＮ固着してしまった場合の例であり、読書灯１０がＨｉ状態になった後も読書灯スイッチ２０の信号レベルはＯＮ信号のままである。
【００４７】
ｔ４時点はｔ１時点から固着閾値時間を経過した時点である。よって、ｔ４時点においてＳ３の判断がＹＥＳになりＳ４を実行する。これにより、ＯＮ固着していることが記憶部３０に記憶される。また、図３に示す例では、ｔ４時点でイグニッションスイッチがＯＦＦになっている。
【００４８】
スイッチ制御実行部４１は、イグニッションスイッチがＯＦＦになった後も、読書灯１０を予め設定された時間、同じ点灯状態を継続させる。これは、イグニッションスイッチがＯＦＦになった後も、後席の乗員が読書灯１０を点灯させて読書などをすることを考慮した制御である。イグニションスイッチがＯＦＦになった後、読書灯１０の点灯状態を継続する時間はたとえば２０分である。ｔ５時点はその時間が経過した時点である。よって、ｔ５時点からｔ６時点にかけて読書灯１０はＨｉからＯＦＦに遷移している。
【００４９】
ｔ７時点では、イグニションスイッチが再びＯＮになっている。図３に示す例では、読書灯スイッチ２０がＯＮ固着しているので、ｔ７時点でも読書灯スイッチ２０はＯＮ信号を入力ポートに入力している。
【００５０】
ｔ７時点で読書灯スイッチ２０の信号レベルがＯＮ信号になっているが、前述したように、信号の立ち下がりを検出したことにより、短押し操作がされたと判定される。したがって、比較例および実施形態ともに、ｔ７時点では読書灯１０は点灯しない。
【００５１】
ｔ８時点はｔ７時点から長押し閾値時間が経過した時点である。長押し無効制御が実行されていない比較例では、ｔ８時点で読書灯１０がＨｉ状態となる。そのため、後席乗員は、自分が読書灯スイッチ２０を操作していないにもかかわらず、読書灯１０が最も明るく点灯するので、違和感を覚えることになる。
【００５２】
これに対して、本実施形態では、ＯＮ固着していることが記憶部３０に記憶されているので、ｔ８時点でもＳ６の判断がＹＥＳになる。よって、ｔ８時点で、後席乗員が読書灯スイッチ２０を操作していないにもかかわらず、読書灯１０が点灯してしまうことはない。
【００５３】
ｔ９時点では、何らかの理由でそのＯＮ固着が解消して、読書灯スイッチ２０の信号レベルがＯＦＦになっている。これにより、Ｓ７，Ｓ８の処理が実行されるので、後席乗員が読書灯スイッチ２０を長押しした場合には、長押し操作に基づく制御が実行されることになる。
【００５４】
［実施形態のまとめ］
以上、説明した本実施形態では、固着判断部４２が、読書灯スイッチ２０が固着していると判断した場合に、ＯＮ固着していることをイグニッションスイッチがＯＦＦになった後も記憶する記憶部３０を備える。
【００５５】
イグニッションスイッチがＯＮになった後には、ＯＮ信号の継続時間が固着閾値時間を超えていなくても、つまり、Ｓ３の判断がＮＯになっても、記憶部３０にＯＮ固着していることが記憶されていれば、Ｓ６の判断がＹＥＳなり、長押し無効制御が行われる。
【００５６】
よって、イグニッションスイッチがＯＮになった後に、読書灯スイッチ２０からの信号がＯＮ信号であることにより、乗員が読書灯スイッチ２０を長押し操作していないのに、読書灯１０が点灯してしまうことが抑制される。
【００５７】
また、本実施形態では、読書灯スイッチ２０からの信号がＯＦＦ信号になった場合には、Ｓ８を実行して、記憶部３０から、読書灯スイッチ２０がＯＮ固着していることを消去する。これにより、一旦、長押し操作を無効とした後に、ＯＮ固着が解消した場合には、通常制御を実行できる。
【００５８】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。
【００５９】
＜変形例１＞
たとえば、前述の実施形態では、ＯＮ信号に基づく制御を抑制する例として、長押し無効制御を示した。しかし、長押し操作を無効にすることに加えて、短押し操作も無効にしてもよい。
【００６０】
＜変形例２＞
読書灯スイッチ２０とは異なるモーメンタリ型のスイッチを備えるとともに、そのスイッチにより読書灯１０とは異なる作動部を制御してもよい。この場合には、抑制する制御も作動部に応じて定まる。たとえば、前述のシート空調装置が作動部であれば、ＯＮ信号に基づいて、シート空調装置のＨｉレベルでの作動を無効にするなどが、抑制する制御の例になる。
【符号の説明】
【００６１】
１０：読書灯      ２０：読書灯スイッチ      ３０：記憶部      ４０：ＥＣＵ      ４１：スイッチ制御実行部      ４２：固着判断部      Ａ：車両用制御装置
【図１】
2018144709.tif 000003
【図２】
2018144709.tif 000004
【図３】
2018144709.tif 000005